(57)【要約】      （修正有）【課題】利用者の所望の部位にシャワーを当て易く、また非使用時等にシャワーノズルの突出を抑制できて、使い勝手が良いシャワー装置を提供する。【解決手段】浴室の壁に設けられる装置本体１と、装置本体１に回動自在で設けられた複数のシャワーノズル４７とを備えたシャワー装置において、シャワーノズル４７は、装置本体１に回動自在で取り付けられる回転体５０と、回転体５０に取り付けられるノズル体６０とを備え、ノズル体６０を、その噴射方向において回転体５０に対してスライド移動自在とした。【選択図】図１
2014117315.tif 000002
【特許請求の範囲】
【請求項１】
浴室の壁に設けられる装置本体と、この装置本体に回動自在で設けられた複数のシャワーノズルとを備え、
このシャワーノズルは、前記装置本体に回動自在で取り付けられる回転体と、この回転体に取り付けられるノズル体とを備え、
前記ノズル体は、その噴射方向において前記回転体に対してスライド移動自在であることを特徴とするシャワー装置。
【請求項２】
前記シャワーノズルは、前記ノズル体を前記装置本体側に退行させて前記装置本体に対する突出量を抑えた退行位置において、前記回転体の回動が規制されるものであることを特徴とする請求項１に記載のシャワー装置。
【発明の詳細な説明】
【技術分野】
【０００１】
本発明はシャワー装置に関する。
【背景技術】
【０００２】
特許文献１には、打たせ湯用のオーバーヘッドシャワーやハンドシャワーを備えたシャワータワーが開示されている。前記オーバーヘッドシャワーやハンドシャワーには、湯水混合栓から湯水が供給される。この湯水混合栓は、操作部として吐出切替ハンドルやサーモハンドルを備える。このシャワータワーは、これら操作部を操作することで、湯水の供給先の切替えや吐出される湯温の調節等を行えるようになっている。
【先行技術文献】
【特許文献】
【０００３】
【特許文献１】特開２００３−１９００３７号公報
【発明の概要】
【発明が解決しようとする課題】
【０００４】
ところで、オーバーヘッドシャワーは利用者の頭上からシャワーを吐出するものであるため、利用者がオーバーヘッドシャワーから吐出されたシャワーを所望の部位に当て難いという課題がある。また、利用者が椅子を利用して浴室に座った際等には、オーバーヘッドシャワーのシャワーヘッドが利用者から離れた位置に配置される場合がある。このような場合にも、利用者はオーバーヘッドシャワーから吐出されたシャワーを所望の部位に当て難くなる。また、ハンドシャワーは、利用の際にシャワーヘッドを手で持つ必要があり、使い勝手が良くない場合がある。
【０００５】
本発明は前記事情に鑑みてなされたものであって、利用者の身体の所望の部位にシャワーを当たり易くし、更にシャワーノズルが清掃等の邪魔になり難くして、使い勝手が良いシャワー装置を提供することを課題とする。
【課題を解決するための手段】
【０００６】
前記課題を解決するために本発明は、浴室の壁に設けられる装置本体と、この装置本体に回動自在で設けられた複数のシャワーノズルとを備え、このシャワーノズルは、前記装置本体に回動自在で取り付けられる回転体と、この回転体に取り付けられるノズル体とを備え、前記ノズル体は、その噴射方向において前記回転体に対してスライド移動自在であることを特徴とする。
【０００７】
また、前記シャワーノズルは、前記ノズル体を前記装置本体側に退行させて前記装置本体に対する突出量を抑えた退行位置において、前記回転体の回動が規制されるものであることが好ましい。
【発明の効果】
【０００８】
本発明にあっては、各シャワーノズルを装置本体に対して回動させることで、シャワーノズル毎にその噴射方向を変更することができる。このため、本発明にあっては、シャワーノズルから吐出されるシャワーを利用者の身体の所望の部位に当たり易くすることができる。そして、本発明にあっては、非使用時等にノズル体を装置本体側に退行させることで、シャワーノズル（ノズル体）の装置本体に対する突出量を抑えて、コンパクトに収める（待機させる）ことができる。このため、本発明にあっては、非使用時等において、シャワーノズルを利用者や清掃等の邪魔になり難くすることができる。従って、本発明にあっては、使い勝手が良いシャワー装置を提供することができる。
【図面の簡単な説明】
【０００９】
【図１】本発明の実施形態のシャワーノズルの側断面図である。
【図２】同上のシャワーノズルの伸長した状態を示す側断面図である。
【図３】同上のシャワーノズルの図２の状態から回動した状態を示す側断面図である。
【図４】同実施形態のシャワー装置の設置状態を示し、（ａ）は正面図であり、（ｂ）は側面図である。
【図５】同上のシャワー装置の配管系統図である。
【図６】変形例のシャワーノズルの側断面図である。
【図７】変形例のシャワー装置を示し、（ａ）は正面図であり、（ｂ）は側面図である。
【発明を実施するための形態】
【００１０】
本発明を添付図面に基づいて説明する。本実施形態のシャワー装置は、図４に示すように、装置本体１と、複数のシャワーノズル４７とを備える。詳しくは、本実施形態のシャワー装置は、図５に示すように、アーム型シャワー３０と、湯水混合栓２０と、給水管１５と、給湯管１６と、供給路２３と、固定部２（図４参照）とを備え、アーム型シャワー３０に複数のシャワーノズル４７が設けてある。
【００１１】
更に、本実施形態のシャワー装置は、オプションとして、椅子７と、ハンドシャワー１０とを備える。このため、本実施形態のシャワー装置は、湯水吐水部として、アーム型シャワー３０と、ハンドシャワー１０とを備える。また、このシャワー装置は、浴室の壁９０に沿って設けられる。なお、以下では、シャワー装置を壁９０に設置したときの方向を基準にして説明する。そして、以下では、この基準とした方向において、壁９０に直交する方向を前後方向とし、シャワー装置から視て壁９０側を後側として説明する。
【００１２】
固定部２は、図４に示すように、フレーム３と、本体カバー５とを備える。フレーム３は、壁９０に固定される壁固定部（図示せず）と、床に載置される脚部４とを有しており、この壁固定部及び脚部４によって、固定部２にかかる荷重を支える。本体カバー５は、前記壁固定部の前方に取り付けてあり、この壁固定部の前方側を覆う。そして、本体カバー５は、前方に向けて突出する突条部５ａが両側に設けてあり、突条部５ａは上下方向に長尺で形成してある。更に、本体カバー５の突条部５ａの間の前面は、背もたれ部６となっている。
【００１３】
椅子７は、折り畳み式となっており、本体カバー５（背もたれ部６）の下方に設けてある。椅子７は、座部８と、脚９とを備える。座部８は、略板状に形成される。座部８は、固定部２（本体カバー５）の下端部に、回動自在で設けてある。座部８は、この回動によって、図４に示すように、本体カバー５から前方に向けて略直角に突出させることができる。そして、座部８は、この突出した状態で、利用者が着座可能となる。この突出した状態において、脚９は、座部８から垂下して、床に載置させることができる。脚９は、この床に載置された状態で、座部８にかかる荷重を支持する。
【００１４】
また、座部８は、前記突出した状態から、脚９を畳み、突出させた際と逆向きに回動させることで、脚部４の間（本体カバー５の下方）に収納可能となっている。そして、この収納した状態において、座部８は、本体カバー５の前面より前方に突出しない状態となる。このため、椅子７は、座部８を収納した状態において、利用者が背もたれ部６の前方に起立することを邪魔し難い。
【００１５】
湯水混合栓２０は、フレーム３の前記壁固定部に取り付けてあり、この壁固定部を介して壁９０に固定される。湯水混合栓２０は、図５に示すように、上水道から給水管１５を介して供給される水と、給湯器から給湯管１６を介して供給される湯とを混合して、所望温度の湯水を得る。そして、湯水混合栓２０は、得た前記湯水を供給路２３に供給する。また、前記所望温度は、突条部５ａに設けた温調操作部２１（図４参照）の操作によって、変更調整可能となっている。
【００１６】
給水管１５及び給湯管１６は、例えば浴室外から壁９０の本体カバー５に対応する部分を通して浴室内に導入され、この後、湯水混合栓２０に接続される。給水管１５には、第１止水栓１７が設けてあり、第１止水栓１７は、給水管１５から湯水混合栓２０への給水の有無を切り替える。給湯管１６には、第２止水栓１８が設けてあり、第２止水栓１８は、給湯管１６から湯水混合栓２０への給湯の有無を切り替える。第１止水栓１７及び第２止水栓１８は各々、逆止弁付きの止水栓となっている。第１止水栓１７は、給水管１５において、壁９０から浴室内に導入される部分に設けられる。第２止水栓１８は、給湯管１６において、壁９０から浴室内に導入される部分に設けられる。
【００１７】
供給路２３は、上流側が湯水混合栓２０に連結され、下流側が各湯水吐水部に連結される。そして、供給路２３の途中には、切替部２７が設けてあり、切替部２７より下流側が二つに分岐する。このため、供給路２３は、切替部２７より上流側の第１供給路２４と、切替部２７より下流側のうちの一方の第２供給路２５と、前記下流側のうちの残り一方の第３供給路２６とに区別される。第２供給路２５の下流側には、アーム型シャワー３０が連結される。第３供給路２６の下流側には、ハンドシャワー１０が連結される。
【００１８】
切替部２７は、供給路２３を介して、湯水混合栓２０をいずれの湯水吐水部に連通させるかを切り替える。詳しくは、複数の湯水吐水部に対して、いずれにも湯水を供給させない止水状態と、一部または全てに湯水を供給する供給状態とを切り替える。そして、この供給状態としては、一部の湯水吐出部に対して選択的に供給する部分供給状態と、全てに供給する全供給状態とを有する。このため、第１供給路２４は、第２，第３供給路２５，２６のいずれにも連通しない第１状態と、第２供給路２５に連通する第２状態と、第３供給路２６に連通する第３状態と、第２，第３供給路２５，２６の両方に連通する第４状態とに切り替わる。そして、第１状態が止水状態であり、第２，第３状態が部分供給状態であり、第４状態が全供給状態である。
【００１９】
また、切替部２７は、本体カバー５に覆われる位置に設けてある。そして、切替部２７は、例えば、三方弁となっており、突条部５ａに設けた切替操作部２８（図４参照）の操作に応じて、供給路２３を前述の各状態（第１〜第４状態）へ切り替える。
【００２０】
ハンドシャワー１０は、図４に示すように、屈曲可能な接続管１１と、接続管１１の一端部に設けられたシャワーヘッド１２とを有する。接続管１１は、屈曲可能な蛇腹管や可撓性を有するホース等で形成される。接続管１１は、シャワーヘッド１２と反対側の端部が、第３供給路２６に連結される。そして、ハンドシャワー１０は、湯水混合栓２０から湯水が供給されると、シャワーヘッド１２に設けた多数の吐水孔から、前記湯水を吐出する。このとき、各吐水孔からは、例えば、直径１ｍｍ程度の比較的太い水流が吐出される。また、ハンドシャワー１０は、突条部５ａに設けられたフック１３に、脱着自在で取り付けられる。
【００２１】
アーム型シャワー３０は、本体カバー５の両側部に夫々設けてある。各アーム型シャワー３０は、図１に示すように、アーム部３１と、複数のシャワーノズル４７と、回動部材３２と、流路筒３４とを有する。このため、装置本体１は、アーム部３１と、回動部材３２と、流路筒３４と、湯水混合栓２０と、給水管１５と、給湯管１６と、供給路２３と、固定部２とで形成される。そして、流路筒３４の内部が、アーム型シャワー３０における湯水の流路（アーム流路）となっている。
【００２２】
アーム部３１は、図４に示すように、直線状、詳しくは直線状に長尺な筒形状となっている。各アーム部３１は、長手方向の一端部（第１端部）が、回動部材３２に連結されており、長手方向の前記第１端部と反対側の一端部（第２端部）が、エンドキャップ３３によって閉塞される。各回動部材３２は、固定部２（前記壁固定部）に回動自在に取り付けてあり、固定部２（前記壁固定部）に対して左右軸回り方向に回動可能となっている。この左右軸回り方向に回動可能とは、左右方向と平行な回動軸を中心にして回動可能となっていることを意味する。そして、アーム部３１の長手方向は、左右方向に交差する（本例では、直交する）。
【００２３】
このため、アーム部３１は、回動部材３２側（前記第１端部側）を支点にして、長手方向の反対側（前記第２端部側）を上下に回動可能となっている。各回動部材３２は、一定以上の力を加えた場合でのみ、固定部２に対して回動する。このため、各アーム型シャワー３０（アーム部３１）は、所望の回動位置で保持される。
【００２４】
また、両アーム型シャワー３０は夫々独立して、上下（左右軸回り方向）に回動可能となっている。そして、各アーム型シャワー３０における上下の回動範囲は、固定部２に規制されていない。言い換えると、固定部２は、アーム型シャワー３０の回動に干渉しない。更に、各アーム型シャワー３０の回動範囲は、第２端部を第１端部より下方に位置させてこの第２端部が壁９０に当接する下位置から、第２端部を第１端部より上方に位置させてこの第２端部が壁９０に当接する上位置までの範囲となっている。
【００２５】
流路筒３４は、図１に示すように、アーム部３１の内部に設けてある。流路筒３４は、アーム部３１に沿って長尺に形成される。流路筒３４は、その内部が、長手方向の一端部側で、回動部材３２を介して、第２供給路２５に連結される。また、各流路筒３４の長尺な外周面には、複数の凹部３５が設けてあり、両流路筒３４の凹部３５は同数となっている。各凹部３５は、長手方向に直交する向きで流路筒３４内側に凹む形状となっている。以下、この凹む向きを没方向とする。
【００２６】
各凹部３５は、没方向に視て円形状の凹みとなっている。そして、各凹部３５は、長手方向において、所定の間隔で並べて設けてある。更に、各凹部３５の流路筒３４内側の端部（底部）には、流路筒３４内（アーム流路）に開口した連結口３６が設けてあり、連結口３６は、凹部３５の流路筒３４外側の端部（開口端）に比べて、小寸（小径）で開口する。また、各凹部３５の前記開口端は、夫々アーム部３１の対応する位置に設けた開口部に連通する。この開口部は、凹部３５と同数設けてあり、各開口部は夫々、没方向において異なる凹部３５と並ぶ。前記開口部は、没方向に視て、前記開口端と同形同寸（同じ直径の円形状）で開口する。
【００２７】
各凹部３５の内部には、シャワーノズル４７を保持する保持部４０と、ノズルカバー４５とが設けてある。このため、各凹部３５は、シャワーノズル４７用の取付部となっている。そして、保持部４０は、水密状態でシャワーノズル４７を保持する。言い換えると、シャワーノズル４７は、保持部４０に水密状態で取り付けられる。
【００２８】
具体的には、保持部４０が、基部４１と、水密部材４２と、保持部材４３とで形成される。基部４１は、連結口３６の縁部に一体で設けてあり、連結口３６の縁部から凹部３５内に突出する。基部４１は、円筒状に形成されており、没方向に沿って軸心を有する。そして、基部４１は、連結口３６に向けて内径の狭まる形状となっている。また、基部４１の外周面には、保持部材４３取付用のねじ部が設けてある。
【００２９】
保持部材４３は、円筒状に形成されており、外径が基部４１より大寸となっている。そして、保持部材４３は、基部４１と同心で、凹部３５に配置される。更に、保持部材４３は、連結口３６側の部位（第１部位）の内周面に、基部４１のねじ部に螺合するねじ部が設けてある。保持部材４３は、互いの前記ねじ部が螺合することで、基部４１に取り付けられる。また、保持部材４３は、前記第１部位と反対（前記開口端側）の部位（第２部位）に、突出部４３ａが設けてある。突出部４３ａは、保持部材４３の内周側に突出しており、突出先端面が、前記開口端に向けて内径の狭まる形状となっている。
【００３０】
水密部材４２は、基部４１の円環状の突出先端に沿って設けてあり、前記突出先端と突出部４３ａの連結口３６側の端面との間に位置する。水密部材４２は、前記ねじ部の螺合によって、没方向において、突出部４３ａと基部４１とで挟持される。これによって、水密部材４２は、前記取付部（凹部３５）に取り付けられる。そして、水密部材４２は、例えば、Ｏリングとなっている。
【００３１】
また、水密部材４２は、突出部４３ａの前記突出先端面の前記開口端側の端部及び連結口３６の縁部（基部４１の傾斜面の連結口３６側の端部）より、外周側に位置する。このため、シャワーノズル４７を凹部３５に取り付けた状態では、突出部４３ａの前記開口端側の前記端部と、基部４１の連結口３６側の前記端部とが夫々、没方向において、シャワーノズル４７の抜け止め部として機能する。
【００３２】
ノズルカバー４５は、保持部材４３の第２部位と開口端との間に設けられる。ノズルカバー４５は、円筒状に形成されており、開口端に向けて内径が広がる形状となっている。ノズルカバー４５の連結口３６側の端部には、嵌合部が設けてあり、この嵌合部が、突出部４３ａの開口端側の端面に設けた嵌合部と嵌り合う。これによって、ノズルカバー４５は、保持部４０に固定される。言い換えると、ノズルカバー４５は、保持部４０を介して前記取付部（凹部３５）に取り付けられる。
【００３３】
シャワーノズル４７は、各凹部３５に夫々設けてある。言い換えると、シャワーノズル４７は、各アーム部３１に夫々同数設けてある。各シャワーノズル４７は、図４に示すように、アーム部３１の長手方向において、所定の間隔で並べて設けてある。そして、両アーム部３１は、左右対称に、同数のシャワーノズル４７が配置してある。
【００３４】
図１に示すように、各シャワーノズル４７は夫々、対応する（取り付けた）凹部３５の連結口３６を介して、流路筒３４（アーム流路）に連結される。このため、各シャワーノズル４７は夫々、流路筒３４から湯水が供給される。そして、各シャワーノズル４７は、伸縮自在となっており、回転体５０と、ノズル体６０と、噴射キャップ５７とで形成される。
【００３５】
回転体５０は、球体状に形成される。回転体５０は、球状の曲面（外周面）を水密部材４２に当接して、保持部４０（前記取付部）に取り付けられる。このため、回転体５０の前記外周面と保持部４０との間は、水密状態となっている。そして、回転体５０は、前記抜け止め部によって、没方向において抜け止めがなされる。
【００３６】
回転体５０は、図３に示すように、前記外周面を水密部材４２に対して擦り動かすことができる（擦動可能となっている）。このため、回転体５０は、前記外周面（球状の曲面）を水密部材４２に当接した状態で、保持部４０に対して回転可能となっている。そして、回転体５０は、球の中心を通る所定の一直線に沿って、貫通孔５１が設けてあり、回転体５０の貫通孔５１の貫通方向における両端は夫々、平坦面となっている。この平坦面のうち、一方の平坦面には、回転範囲を規定する規定部５２が設けてある。規定部５２は、前記平坦面から突出して形成されており、その突出先端が、前記外周面（球状の曲面）と同径の仮想球体よりも径外側に突出して位置する。例えば、本例では、開口端側の平坦面に規定部５２が設けてある。
【００３７】
このため、回転体５０は、規定部５２がノズルカバー４５或いは保持部４０に当接される位置までの範囲内において、回転可能となっている。言い換えると、シャワーノズル４７は、回転体５０と保持部４０とで所謂自由継手部が形成されており、この自由継手部（回転体５０及び保持部４０）を介して、アーム部３１に設けてある。
【００３８】
また、回転体５０は、前記開口端側の前記平坦面（本例ではこの平坦面に設けた規定部５２）に、ストッパー５３が設けてあり、ストッパー５３（詳細は後述する）は、貫通孔５１の径内側に突出して形成される。そして、回転体５０の貫通孔５１には、ノズル体６０が配置されており、ノズル体６０は、図２に示すように、回転体５０に対して貫通方向に沿ってスライド移動（進退）可能となっている。以下、貫通方向を進退方向（図中の矢印Ｍ１参照）とする。
【００３９】
ノズル体６０は、進退方向に長尺な円筒状で形成されており、外径が貫通孔５１より小径となっている。ノズル体６０は、貫通孔５１と同心で配置されており、常に、長手方向の一端側が貫通孔５１内に位置し、反対側の一端側が貫通孔５１より前記開口端側に突出して位置する。そして、ノズル体６０の筒内部は、貫通孔５１内に位置する側の一端が、連結口３６を介して、アーム流路（流路筒３４内部）に連結される。このため、ノズル体６０の前記筒内部は、シャワーノズル４７における湯水用の流路となっている。
【００４０】
以下、ノズル体６０において、貫通孔５１より前記開口端側に突出して位置する前記一端側の部位を、前部６０ａとし、貫通孔５１内に位置する前記一端側の部位を、後部６０ｂとし、前部６０ａと後部６０ｂとの間の部位を、中間部とする。そして、この進行方向において、前部６０ａを貫通孔５１に近づける向きを、退行とし、この向きの反対である貫通孔５１から離れる向きを、進行とする。
【００４１】
ノズル体６０は、前部６０ａ及び後部６０ｂに夫々膨出部６１が設けてある。各膨出部６１は夫々、径外側に突出する。そして、各膨出部６１は、円筒の全周に亘って形成されており、例えば、進退方向に視て、円環状となっている。このため、ノズル体６０は、長手方向の両端部（膨出部６１を有する部位）が、中間部に比べて、外径が大寸となっている。
【００４２】
前部６０ａの膨出部６１は、噴射キャップ５７取付用の被取付部となっている。そして、前部６０ａの膨出部６１は、その外径が、貫通孔５１より大寸となっている。後部６０ｂの膨出部６１は、貫通孔５１の周面に当接される当接部６２となっている。当接部６２は、水密部材６３を介在して、貫通孔５１の前記周面に当接される。このため、ノズル体６０は、回転体５０に対して水密状態で取り付けてある。そして、ノズル体６０は、この水密状態で回転体５０に対して進退する。
【００４３】
ノズル体６０は、前記進退によって、回転体５０から引き出した状態（伸長状態）と、回転体５０に押し込んだ状態（短縮状態）とに切り替わる。ノズル体６０は、図２に示すように、伸長状態において、膨出部６１を含む前部６０ａ全体がアーム部３１より突出して位置する。そして、ノズル体６０は、伸長状態において、進退方向が没方向と平行に位置する場合、前部６０ａの膨出部６１と開口端との進退方向における間に隙間を有する。更に、ノズル体６０は、伸長状態において、進退方向が没方向と平行に位置する場合、回転体５０側へ押込み可能（退行可能）となる。ノズル体６０は、図１に示すように、短縮状態において、前部６０ａの膨出部６１の回転体５０側の部分が凹部３５に位置する。
【００４４】
また、ノズル体６０は、前部６０ａ内周側（下流開口）に、旋回板６４（所謂ワーラー）が設けてある。旋回板６４は、伸縮方向に視て、中央に中心孔６４ａを有しており、中心孔６４ａは、伸縮方向に沿って設けてある。そして、旋回板６４は、中心孔６４ａより外周側に複数の旋回孔６４ｂを有しており、旋回孔６４ｂは、中心孔６４ａを中心とする円周方向に傾斜して設けてある。このため、ノズル体６０内を流れる湯水は、旋回板６４を通過することで、中心孔６４ａを流れた中心軸流れと、旋回孔６４ｂを流れた旋回流とを生じる。言い換えると、旋回板６４は、ノズル体６０内の湯水の流れに、中心軸流れと旋回流とを形成する（生じさせる）。
【００４５】
噴射キャップ５７は、天面を有した円筒状に形成される。噴射キャップ５７は、円筒内周面を前部６０ａの膨出部６１の外周面に嵌め合せることで、ノズル体６０に取り付けられる。この状態において、噴射キャップ５７は、天面で前記下流開口（旋回板６４の下流側）を覆う。そして、噴射キャップ５７の前記天面は、伸縮方向において、旋回板６４との間に隙間（空間）を有しており、この空間は、旋回板６４を介した（通った）湯水を混合する混合室となっている。このため、中心軸流れと旋回流とが、この混合室で混合される。
【００４６】
更に、噴射キャップ５７の前記天面には、噴射口５８が設けてあり、前記混合室で混合された湯水は噴射口５８から噴射される。そして、噴射口５８からの湯水は、旋回板６４で形成される流れ（中心軸流れ及び旋回流）によって、下流側程大径の円錐形状のシャワー（例えば、図４中のシャワー範囲Ｓ１参照）として噴射される。言い換えると、各シャワーノズル４７は、流路筒３４からの湯水を広角に拡散するシャワー（多数の水流）として吐出する。各水流は、例えば、直径４００μｍ程度の微細水流となっている。
【００４７】
また、噴射キャップ５７は、ノズル体６０の短縮状態において、連結口３６側の端部が凹部３５に位置する。言い換えると、噴射キャップ５７は、短縮状態において、ノズルカバー４５の内周側に位置する。このため、シャワーノズル４７は、短縮状態において、噴射キャップ５７がノズルカバー４５に干渉して、伸長状態に比べて狭い範囲に、その回動範囲が制限される。言い換えると、ノズルカバー４５と噴射キャップ５７とが、短縮状態において回転体５０の回転を規制する（制限する）回転規制部として機能する。
【００４８】
このように、シャワーノズル４７は、図３に示すように、ノズル体６０を回転体５０から引き出した状態（伸長状態）において、回転体５０が保持部４０に対して回転可能となっている。そして、シャワーノズル４７は、回転体５０の回転によって、ノズル体６０が保持部４０に対して回動する。更に、シャワーノズル４７の回動範囲は、噴射キャップ５７の回転体５０側の端部がノズルカバー４５に当接する位置までの各範囲（図３中のＤ１参照）となっている。この回動範囲は、例えば、没方向に対して夫々２２．５°の範囲となっている。
【００４９】
そして、ノズル体６０は、伸長状態において、所定の進行位置で、後部６０ｂの膨出部６１（当接部６２）がストッパー５３に当接する。この状態において、ノズル体６０は、この当接する前記進行位置より先に進行することができない。このため、ノズル体６０は、この当接する前記進行位置が、アーム部３１に対して最も突出させた最大進行位置（最も突出量が大きくなる最大突出位置）となっている。
【００５０】
また、シャワーノズル４７は、図１に示すように、ノズル体６０を回転体５０に押し込んだ状態（短縮状態）において、噴射キャップ５７とノズルカバー４５とが干渉して、伸長状態に比べて、回転体５０の回転範囲が制限される。言い換えると、シャワーノズル４７は、短縮状態から伸長状態に切り替える（装置本体１からの突出量を大きくする）ことで、その回動範囲を広くすることができる。
【００５１】
そして、ノズル体６０は、短縮状態において、所定の退行位置で、前部６０ａの膨出部６１がストッパー５３（規定部５２の突出先端）に当接する。この状態において、ノズル体６０は、この当接する前記退行位置より先に退行することができない。このため、ノズル体６０は、この当接する前記退行位置が、アーム部３１に対して最も突出を抑えた最大退行位置（最も突出量が小さくなる最少突出位置）となっている。なお、最大退行位置は、ストッパー５３に当接する前記位置に限らず、噴射キャップ５７がノズルカバー４５に当接する退行位置であってもよい。また、例えば、回転体５０の連結口３６側の平坦面に、退行位置用のストッパー５３を更に設けて、後部６０ｂ或いは後部６０ｂの膨出部６１がこのストッパー５３に当接する退行位置を最大退行位置としてもよい。
【００５２】
言い換えると、ストッパー５３は、進行側において、ノズル体６０の進退（進行）を規制する進退規制部として機能する。そして、ストッパー５３や規定部５２の突出先端等は、退行側（没方向側）において、ノズル体６０の進退（退行）を規制する進退規制部として機能する。このように、シャワーノズル４７は、進行側及び退行側に前記進退規制部を設けたことで、ノズル体６０の進退範囲を所定の範囲に規定することができる。これによって、シャワーノズル４７は、ノズル体６０の過剰な進退を抑制することができる。
【００５３】
また、ノズル体６０は、一定以上の力を加えた場合でのみ、回転体５０に対して進退する。このため、ノズル体６０は、進退方向において所望の位置で保持される。そして、回転体５０は、一定以上の力を加えた場合でのみ、保持部４０に対して回動する。このため、回転体５０は、所望の回動位置で保持される。
【００５４】
そして、シャワー装置は、アーム部３１を所望の姿勢とした状態において、各シャワーノズル４７を回動することで、そのシャワーノズル４７におけるシャワーの噴射方向を調整することができる。言い換えると、アーム型シャワー３０は、シャワーノズル４７毎に各々回動自在であるため、各シャワーノズル４７におけるシャワーの噴射方向を個別に調整することができる。このため、シャワー装置は、アーム部３１の回動によるアーム部３１毎のシャワーの噴射方向の調整と、各シャワーノズル４７の回動によるシャワーノズル４７毎のシャワーの噴射方向の調整とを行うことができる。
【００５５】
このように、各アーム型シャワー３０は、固定部２に対して上下に回動することで、アーム部３１の姿勢を変更することができる。このため、シャワー装置は、アーム部３１（アーム型シャワー３０）毎に、シャワーノズル４７におけるシャワーを噴射する領域（噴射領域）や噴射方向等の噴射条件を変更することができる。これによって、シャワー装置は、その前側に立った状態及び座った状態のいずれの状態における利用者に対しても、各アーム型シャワー３０からのシャワーを、利用者の身体の所望の部位に当て易くすることができる。言い換えると、利用者は、各アーム型シャワー３０の姿勢を変更することで、各アーム型シャワー３０から吐出されるシャワーを、浴室に立った状態及び浴室に座った状態のいずれにおいても浴び易くすることができる。
【００５６】
例えば、利用者がシャワー装置の直ぐ前側に立った状態でシャワーを浴びたい場合では、アーム型シャワー３０を、水平よりも上側に回動して、シャワーノズル４７を前側に向けた姿勢にすればよい。この姿勢にすることで、前記前側に立った利用者は、アーム型シャワー３０から吐出されたシャワーを、頭部側や肩側等から上半身等に浴び易くすることができる。そして、利用者が椅子７又は風呂椅子等を利用してシャワー装置の直ぐ前側に座った状態でシャワーを浴びたい場合では、アーム型シャワー３０を、図４（ｂ）に示されるように略水平にした姿勢や、水平よりも下側の回動位置に配置した姿勢にすればよい。この姿勢にすることで、前記前側に座った利用者は、アーム型シャワー３０から吐出されたシャワーを、肩側や胸側や背中側等から上半身や下半身等に浴び易くすることができる。
【００５７】
また、シャワー装置は、シャワーノズル４７をアーム部３１に対して進退させることで、アーム部３１に対する噴射口５８（シャワーノズル４７）の突出量を調整することができる。言い換えると、シャワー装置は、シャワーノズル４７をその噴射方向に沿って装置本体１に対してスライド移動させることで、シャワーノズル４７から利用者までの距離を調節することができる。このため、利用者は、この進退によって、例えば、各シャワーノズル４７からのシャワーの当たる範囲（噴射方向に直交する断面円の直径）等を変更することができる。そして、シャワー装置は、シャワーノズル４７をアーム部３１（装置本体１）に対して回動させることで、シャワーノズル４７からのシャワーのアーム部３１に対する噴射方向を調整することができる。このため、利用者は、例えば、シャワーの当たる範囲やシャワーを当てる向き等を変更することができる。
【００５８】
このように、シャワー装置は、装置本体１に対して、各シャワーノズル４７を進退（スライド移動）させたり、回動させたりすることで、シャワーノズル４７毎に、利用者に対する噴射条件を変更することができる。このため、シャワー装置は、各シャワーノズル４７からのシャワーを夫々個別に、利用者の所望の部位に当たり易くすることができる。すなわち、シャワー装置は、アーム部３１毎のシャワーノズル４７の噴射条件の調整と、シャワーノズル４７毎の噴射条件を調整とで、各シャワーノズル４７からのシャワーを利用者の所望の部位に当たり易くすることができる。これによって、シャワー装置は、利用者に対して、使い勝手を良くし易くすることができる。
【００５９】
更に、シャワーノズル４７は、突出量を大きくする程、回動時に保持部４０（装置本体１）に干渉し難くすることができる。このため、シャワーノズル４７は、進退自在としたことで、回動範囲を広くし易くすることができる。これによって、アーム型シャワー３０にあっては、例えば、図４に示すようなアーム部３１が直線状のものと、図７に示すようなアーム部３１が曲線状のものとで、シャワーノズル４７からのシャワー範囲（両図中のＳ１参照）を略同様の状態にすることができる。すなわち、アーム型シャワー３０にあっては、シャワーノズル４７を備えたことで、アーム部３１の形状によるシャワー範囲に対する影響を軽減することができる。このため、シャワー装置は、アーム型シャワー３０のデザインの自由度が広がり易くなり、意匠性を向上し易くすることができる。
【００６０】
また、シャワー装置は、アーム部３１（装置本体１）に対して、各シャワーノズル４７を退行させることで、アーム部３１に対する突出量を抑えた退行位置に配置することができる。このため、シャワー装置は、非使用時や、回動させずに使用する際等に、シャワーノズル４７の突出量を抑えて、シャワーノズル４７をコンパクトに収める（待機させる）ことができる。これによって、シャワー装置は、シャワーノズル４７を利用者に干渉し難く（シャワーノズル４７を利用者の邪魔になり難く）することができて、利用者に対して、使い勝手を良くし易くすることができる。
【００６１】
そして、シャワー装置は、シャワーノズル４７の突出量を抑えることで、アーム部３１（装置本体１）上の凹凸を軽減することができる。このため、シャワー装置は、シャワーノズル４７をスポンジ等の清掃具等に干渉し難く（シャワーノズル４７を清掃の邪魔になり難く）することができる。これによって、シャワー装置は、清掃等を行い易くすることができて、利用者に対して、使い勝手を良くし易くすることができる。
【００６２】
更に、シャワー装置は、前記最大退行位置等の退行位置に配置することで、シャワーノズル４７のアーム部３１（装置本体１）に対する回動を規制することができる。このため、シャワー装置は、退行位置において、シャワーノズル４７の噴射方向を規定・制限することができる。そして、シャワー装置は、非使用時に、シャワーノズル４７を退行位置で待機させる（退行位置に配置する）ことで、使用開始直後等に利用者が予期しない向きへのシャワーの噴射を抑制することができる。これによって、シャワー装置は、予期しない向きへのシャワーの噴射による不快感を利用者に与え難くすることができて、利用者に対して、使い勝手を良くし易くすることができる。
【００６３】
また、シャワー装置がオプションとして椅子７を備える場合、利用者は、図４に示すように、椅子７を前方に引き出した状態にして、座部８に座り、背もたれ部６に凭れることができる。そして、利用者は、この状態で、アーム型シャワー３０のシャワーノズル４７を利用することができる。言い換えると、利用者は、椅子７に座った状態で、シャワーノズル４７から吐出されたシャワーを背や腰等に浴び易くすることができる。更に、椅子７は、折り畳むことで、浴室に居る人にとって邪魔になり難い位置に配置することができる。このため、シャワー装置は、椅子７を折り畳むことで、シャワー装置の直ぐ前方に、利用者が立つためのスペースを確保することができる。
【００６４】
また、各シャワーノズル４７が夫々独立して回動可能であるため、シャワー装置は、アーム型シャワー３０からのシャワーの吐出範囲を広くし易くすることができる。このため、シャワー装置は、アーム型シャワー３０のシャワーを身体の広い範囲に当て易くすることができて、使い勝手を良くし易くすることができる。
【００６５】
また、本実施形態のシャワー装置は、湯水混合栓２０に接続されたハンドシャワー１０を備える。このため、利用者は、ハンドシャワー１０を利用して、身体の所望の部位にシャワーを浴びることができる。
【００６６】
また、シャワーノズル４７は、短縮状態における回転体５０の回転（シャワーノズル４７の回動）を、連結口３６側で規制してもよい。言い換えると、シャワー装置は、前記回動規制部を連結口３６側に設けてもよい。
【００６７】
この場合では、例えば、図６に示すように、連結口３６の回転体５０の回転範囲（図中の点線Ｄ２参照）より奥側（後方）の部位に、回転規制用の突起部３８が設けてある。突起部３８は、連結口３６の内周側に突出して形成される。そして、突起部３８は、連結口３６の全周に亘って設けてあり、没方向に視て、円環状となっている。このため、連結口３６は、突起部３８を設けた部位が、他の部位に比べて小径となっている。
【００６８】
ノズル体６０は、後部６０ｂの後端に、延出部６６が設けてある。延出部６６は、後部６０ｂから進退方向（没方向）に延長して形成される。延出部６６は、進退方向に視て、ノズル体６０の中間部と同心同径の円筒形状となっている。
【００６９】
また、ノズル体６０は、退行時において、回転体５０の前記回転範囲より奥側（後方）に突出した位置に、延出部６６を配置することができる。ノズル体６０は、延出部６６を回転体５０より奥側に突出させた状態において、延出部６６の外周側に突起部３８が位置する状態まで、退行可能となっている。そして、この外周側に突起部３８が位置する状態において、延出部６６は、その外周面が、突起部３８の突出先端（円環の内周縁）に当接される。
【００７０】
このため、シャワーノズル４７は、短縮状態において、突起部３８に延出部６６を当接させることで、回転体５０を回動不可能な状態（ノズル体６０が保持部４０に対して回動できない）状態に保持することができる。言い換えると、シャワーノズル４７は、連結口３６の径方向において、突起部３８で延出部６６を保持することで、シャワーノズル４７の回動を規制することができる。すなわち、本例では、延出部６６と突起部３８とが、短縮状態においてシャワーノズル４７の回動（回転体５０の回転）を規制する（制限する）回動規制部として機能する。そして、この回動規制部は、延出部６６を突起部３８に当接して回動を規制するため、噴射キャップ５７を干渉させる等で回動範囲を狭めて規制した場合に比べて、シャワーノズル４７を回動し難くすることができる。
【００７１】
また、シャワーノズル４７は、前記回動を規制する状態からノズル体６０を伸長状態に切り替える（進行させて突出量を大きくする）ことで、延出部６６を突起部３８より前方に位置させて、前記回動を規制する状態（その保持）を解除することができる。そして、シャワーノズル４７は、延出部６６を回転体５０の回転範囲より貫通孔５１側に進行させることで、延出部６６を突起部３８や保持部に干渉させずに、回転体５０を回転させることができる。このため、各シャワーノズル４７は、伸長状態において、その回動による利用者に対する噴射条件を変更することができて、そのシャワーを夫々個別に、利用者の所望の部位に当たり易くすることができる。
【００７２】
更に、シャワー装置は、連結口３６側に回動規制部を設けたことで、ノズルカバー４５を回動規制部とした場合に比べて、噴射キャップ５７とノズルカバー４５との干渉による噴射キャップ５７やノズルカバー４５の疵等の発生を抑制することができる。このため、シャワー装置は、例えば前記疵等への汚れの付着等による清掃性の低下を生じ難くすることができる。
【００７３】
また、シャワー装置は、オプションとして、本体シャワーを備えてもよい。この場合、本体シャワーがシャワー装置の湯水吐水部の一つとなるため、供給路２３は、切替部２７の下流側に、第４供給路を有することが好ましい。そして、この場合、第４供給路は、例えば、切替部２７を四方弁で形成して切替部２７によって通水と止水とが切り替わるものや、第２の切替部を第２供給路２５や第３供給路２６の途中に設けてこの第２の切替部によって通水と止水とが切り替わるものとなる。
【００７４】
更に、例えば、背もたれ部６は、その下部の左右方向の中央に、後方に窪んだ凹みを有する。このため、シャワー装置は、利用者が背もたれ部６に凭れた際に、本体カバー５（背もたれ部６）の前記凹みの部位と利用者との間に空間を生じ易くなっている。言い換えると、本体カバー５は、前記凹みによって、利用者に接触し難い部位を有する。
【００７５】
本体シャワーは、背もたれ部６の前記凹み（利用者に接触し難い前記部位）に設けてある。この本体シャワーは、前記第４供給路に連結されており、この第４供給路を介して湯水混合部２０から湯水が供給される。また、前記本体シャワーは、例えば二つ設けてあり、左右に並んで（同レベルで）配置してある。そして、各本体シャワーは、シャワーノズルと、このシャワーノズルを保持する保持部とを備える。この保持部は、凹みの深部（前面）に夫々設けてある。
【００７６】
各シャワーノズルの前端部には、噴射口を有する。各シャワーノズルは、湯水混合栓２０から供給された湯水を、前記噴射口からシャワー（多数の水流）として吐出する。このシャワー（各水流）は、広角に拡散して吐出されており、この水流は、例えば、直径４００μｍ程度の微細水流となっている。そして、各シャワーノズルは、自由継手部を有する等で、このシャワーの噴射方向（吐出向き）を上下及び左右方向のいずれにも変更可能となっている。
【００７７】
なお、各シャワーノズルは、本体カバー５（装置本体１）に対して、シャワーノズル４７のように、伸縮可能で且つ回動可能に取り付けてもよいし、伸縮不可能で回動可能に取り付けてもよい。言い換えると、本体シャワーは、そのシャワーノズルに、シャワーノズル４７等の本発明のシャワーノズルを適用可能である。そして、本発明のシャワーノズルを適用する場合では、前記本体シャワーのシャワーノズルが、最大進行位置から最大退行位置までのいずれの状態にあっても前記凹み内に位置する（進退時に前記凹みから突出しない）ことが好ましい。
【００７８】
このように、シャワー装置は、オプションとして本体シャワーを備える場合、この本体シャワーの各シャワーノズルからシャワーを吐出することができる。このため、浴室に立った利用者や、浴室に椅子７や風呂椅子等を用いて座った利用者は、アーム型シャワー３０からのシャワーを浴びると同時に、前記本体シャワーから吐出されたシャワーを浴びることができる。
【００７９】
そして、前記本体シャワーの各シャワーノズルは、その噴射方向を上下及び左右方向において調節可能となっている。言い換えると、利用者は、前記本体シャワーの噴射方向を、シャワーノズル毎に調節することができる。これによって、シャワー装置は、本体シャワーからのシャワーを、利用者の所望の部位に当たり易くすることができる。更に、本体シャワーは、椅子７に着座した利用者に対して、利用者の背側に位置するように設けてある。このため、利用者は、椅子７に着座して背中を背もたれ部６に凭れかけた状態において、その背中や腰に前記本体シャワーからのシャワーを浴びることができる。
【００８０】
更に、シャワー装置は、各シャワーノズルを退行させることで、背もたれ部６（固定部２）に対する突出量を抑えることができて、シャワーノズルを凹み内にコンパクトに収める（待機させる）ことができる。このため、シャワー装置は、固定部２（装置本体１）上の凹凸を軽減することができて、前記シャワーノズルを清掃具等に干渉し難く（前記本体シャワーを清掃の邪魔になり難く）することができる。これによって、シャワー装置は、清掃等を行い易くすることができて、利用者に対して、使い勝手を良くし易くすることができる。
【００８１】
なお、本実施形態では、固定部２の両側方にアーム型シャワー３０を設けたが、アーム型シャワー３０を一方の側方（左右の片側）にのみ設けてもよい。また、本実施形態では、各アーム部３１を直線状にしたが、図７に示すように、アーム部３１を屈曲させた曲線状としてもよい。この場合では、流路筒３４の長手方向の回動部材３２側と反対（第２端部側）の一端部に凹部３５を設けて、この一端部の凹部３５にシャワーノズル４７を設けてもよい。また、本実施形態の椅子７は、固定部２（装置本体１）に固定されるものに限らず、装置本体１を介さずに壁９０に固定されるものや、装置本体１や壁９０に対して脱着自在で取り付けられるものであってもよい。また、この他、シャワー装置は、本発明の要旨を逸脱しない範囲内で適宜設計変更しても構わない。
【符号の説明】
【００８２】
１  装置本体
２  固定部
２０  湯水混合栓
２３  供給路
３０  アーム型シャワー
３１  アーム部
３２  回動部材
３４  流路筒
３５  凹部
４０  保持部
４７  シャワーノズル
５０  回転体
５１  貫通孔
５２  規定部
５７  噴射キャップ
５８  噴射口
６０  ノズル体
６２  当接部
６４  旋回板
９０  壁
【図１】
2014117315.tif 000003
【図２】
2014117315.tif 000004
【図３】
2014117315.tif 000005
【図４】
2014117315.tif 000006
【図５】
2014117315.tif 000007
【図６】
2014117315.tif 000008
【図７】
2014117315.tif 000009